(57)【特許請求の範囲】
【請求項１】
血管壁によって区画形成された血管内腔内に配置するために形成された血栓フィルターであって、
本体部分と、
各支柱が連結端と前記血管壁に係合する自由端を有する複数の支柱とを備え、
各支柱の該連結端は該本体部分に固定的に取り付けられており、
各支柱が、支柱の該自由端の付近に弱くした部分を有し、
各支柱が、血管内腔からフィルターを除去する間に前記弱くした部分で破断されるように構成されている、血栓フィルター。
【請求項２】
各支柱の自由端は鋭利な突出部を有する、請求項１に記載の血栓フィルター。
【請求項３】
各支柱の横断面は長方形である、請求項１に記載の血栓フィルター。
【請求項４】
各支柱の横断面は円形である、請求項１に記載の血栓フィルター。
【請求項５】
支柱の横断面積は弱くした部分の付近で減小する、請求項１に記載の血栓フィルター。
【請求項６】
弱くした部分は切り欠きを有する、請求項１に記載の血栓フィルター。
【請求項７】
弱くした部分はスロットを有する、請求項１に記載の血栓フィルター。
【請求項８】
弱くした部分は孔を有する、請求項１に記載の血栓フィルター。
【請求項９】
血管壁によって区画形成された血管内腔内に配置するために形成された血栓フィルターであって、
本体部分と、
各支柱が連結端と自由端を有する複数の支柱とを備え、
各支柱の該連結端は該本体部分に固定的に取り付けられており、
各支柱の自由端は該自由端を前記血管壁に固定する固定部材を有し、
各支柱が、支柱の該自由端の付近に弱くした部分を有し、
各支柱が、血管内腔からフィルターを除去する間に前記弱くした部分で破断されるように構成されている、血栓フィルター。
【請求項１０】
支柱は円形の横断面を有する、請求項９に記載の血栓フィルター。
【請求項１１】
支柱は長方形の横断面を有する、請求項９に記載の血栓フィルター。
【請求項１２】
弱くした部分は切り欠きを有する、請求項９に記載の血栓フィルター。
【請求項１３】
弱くした部分はスロットを有する、請求項９に記載の血栓フィルター。
【請求項１４】
弱くした部分は孔を有する、請求項９に記載の血栓フィルター。
【請求項１５】
各支柱の自由端は鋭利な突出部を有する、請求項９に記載の血栓フィルター。
【請求項１６】
支柱が弱くした部分で破断された後、各支柱の前記自由端の先端は血管壁に取り付けられたままである、請求項１に記載の血栓フィルター。
【請求項１７】
支柱が弱くした部分で破断された後、各支柱の前記固定部材は血管壁に取り付けられたままである、請求項９に記載の血栓フィルター。
【発明の詳細な説明】
【０００１】
（発明の属する技術分野）
本発明は、一般に、血管内で使用するフィルターに関する。より詳細には、本発明は、血管系の選択位置でしっかりと固定することができ、かつもはや必要とされない時には抜去することができる、血栓フィルターに関する。
【０００２】
（発明の背景）
医師が患者の血管系にフィルターを配置することが望ましくなった時の医療の実行には、多くの状況がある。血管フィルターの最も一般的な適用例の１つは、深部静脈血栓症（ＤＶＴ）の治療である。深部静脈血栓症の患者は、身体の大静脈のより低い部分で血液凝固を経験する。そのような患者は、血餅が壊れて遊離し、下大静脈を介して心臓や肺に至る危険に絶えずさらされている。このプロセスは肺塞栓症として知られる。例えば大きな血餅が心臓の生命維持のためのポンプ作用の干渉をする場合、肺塞栓症はしばしば致命的となる可能性がある。血餅は、心臓を通過すると、肺に圧送され、肺動脈に封鎖（blockage）を生じさせ得る。肺におけるこの種の封鎖は、血液の酸素化に干渉し、ショックまたは死を引き起こす。
【０００３】
肺塞栓症は、患者の身体の血管系内への血栓フィルターの適切な配置によって首尾よく予防することが可能である。フィルターの配置は、全身麻酔下で患者に腹壁切開を行うことにより遂行され得る。しかしながら、多くの場合、静脈内挿入が患者の血管系に血栓フィルターを配置する、好ましい方法である。
【０００４】
血栓フィルターの静脈内挿入は侵襲性が少なく、局所麻酔薬のみを必要とする。この処置では、血栓フィルターがデリバリーカテーテル内で折り畳まれる。デリバリーカテーテルは医師にとって都合のよい箇所で患者の血管系へ導入される。その後、フィルター配置のための望ましい位置に達するまで、デリバリーカテーテルが血管系にさらに送られる。その後、血管へデリバリーカテーテルから放出血栓フィルターがされる。
【０００５】
深部静脈血栓症の治療では、血栓フィルターは、患者の下大静脈に配置される。下大静脈は、身体の低い部分から心臓に血液を戻す大きな血管である。下大静脈は患者の大腿静脈を通じてアクセスすることができる。
【０００６】
他の症状を治療するときには、血栓フィルターを他の位置に配置してもよい。例えば、血餅が身体の上部から心臓や肺に接近すると予想される場合、血栓フィルターを上大静脈に配置することができる。上大静脈は、身体の上部から心臓に血液を戻す大血管である。上大静脈は患者の頸部に位置する頚静脈を通じてアクセスすることができる。
【０００７】
いったん血栓フィルターが血管内に配置されると、血栓フィルターは血餅を捕獲かつ保持するように作用する。捕獲された血餅の周囲での血液の流れのために、身体溶解プロセスが血餅を溶解することが許容される。
【０００８】
血管の壁は、薄い内部の膜すなわち内膜によって裏打ちされる。血栓フィルターのアンカー部分がこの内部の膜を穿刺すると、身体は、新血管内膜の過形成として当該技術分野においてよく知られているプロセスで、内膜の穿刺に応答する。その結果、多くの新たな細胞が、内部の膜の穿刺された領域に過剰に増殖する。血栓フィルターのアンカー部分は、新たな細胞の増殖（新血管内膜の過形成）によって、通常包み込まれる。血管壁と接触するフィルターの部分がこのように固定されるようになるため、フィルターが２週間より長い間適所に配置された後では、多くの先行技術のフィルターを経皮的に抜去することは非実際的である。
【０００９】
医師が血栓フィルターを抜去することが望まれ得る、多くの状況がある。血栓フィルターが異なる位置にあることによって有効なフィルタリングが生じるであろうということを医師が判断すると、医師はその現在の位置から元のフィルターを抜去し、新しいフィルターを新しい位置に展開配置させ得る。血餅形成の危険性がもはや存在しないと医師が判断すると、血栓フィルターを完全に抜去することが望まれ得る。血栓フィルターは、抗凝血薬と共にしばしば使用される。ある箇所では、医師は、抗凝血薬の使用を中止することを望み得る。また、医師は、抗凝血薬の中止と共に、血栓フィルターの抜去を望み得る。患者からの血栓フィルターの抜去によって、完全な閉塞が血栓フィルターの部位で起こる可能性はなくなる。さらには、血栓フィルターの抜去によって、血栓フィルターが解放されて、血管内を移動する可能性もなくなる。フィルターは危険な位置や生命を脅かす位置に移動する可能性があるため、解放されるフィルターは望ましくない。
【００１０】
（発明の概要）
本発明は、血栓フィルターと、フィルターのアンカー部分の新血管内膜での包み込みによる併発症を回避する侵襲性が最小な方法を使用して、フィルターを抜去する方法とに関する。血栓フィルターは本体部材と、複数の長尺の支柱とを備えている。各支柱は連結端と自由端を有する。各支柱の連結端は、本体部材に固定可能に取り付けられる。支柱は、血栓フィルターが略円錐形の形状になるように、本体部材から外方向に放射状に広がる。血栓フィルターが血管内で展開配置されると、支柱の自由端は血管壁に係合する。血栓フィルターの本体部材は、対抗する複数の力のベクトルで血管壁に係合する複数の支柱によって、血管の中央付近の定位置に保持される。
【００１１】
血栓フィルターが血管内に配置されると、支柱の円錐形の構成は血餅をトラップまたは捕獲するように作用する。支柱の構成の略円錐形の形は、捕獲された血餅を血流の中心へと押しやる役割を果たす。捕獲された血餅の周囲での血液の流れのために、身体の自然な溶解プロセスが、血餅を溶解することが許容される。
【００１２】
血管壁への血栓フィルターのしっかりとした取り付けを保証するために、支柱の自由端にはアンカー部分が形成され得る。このようなアンカー部分は、通常、１または複数の鋭利な箇所を有している。各支柱の自由端の付近には、弱くした部分が配置される。各支柱の弱くした部分は、切り欠き、溝、孔、ならびにその他の同等物を含み得る。
【００１３】
血栓フィルターの抜去が望まれる場合、ルーメンと先端部を備えた抜去カテーテルが血管内に配置される。抜去カテーテルは、医師にとって容易にアクセス可能な箇所で患者の血管系に進入する。抜去カテーテルは、一旦血管系に入ると、カテーテルの先端部が血栓フィルターの付近に来るまで前方に押し進められる。その後、血栓フィルターの本体部材が抜去カテーテルのルーメン内に配置されるように、抜去カテーテルの先端部が前方に押し進められる。抜去カテーテルのルーメンに本体部材をさらに押し込む力が、血栓フィルターに加えられる。この力の大きさは、支柱の自由端の付近の弱くした部分で血栓フィルターの支柱を破断するのに十分な大きさである。支柱が破断されると、血栓フィルターは抜去カテーテルのルーメン内へ自由に引き込まれる。その後、患者の身体からの血栓フィルターの抜去は、血管から単に回収カテーテルを引き戻すという事柄となる。血栓フィルターの固定部材は、新血管内膜の過形成による、包み込む作用をする細胞増殖により、血管壁に取り付けられたままとなる。
【００１４】
別の抜去方法は、最初は血栓フィルターの支柱を破断するには十分でない大きさの力で支柱を繰り返し撓ませることを含む。しかしながら、支柱を繰り返し撓ませることにより、弱くした部分で疲労亀裂が発達する。上述したように、各支柱の横断面積は、スロット、孔、ならびにその他の同等物を含む、弱くした部分において減小する。支柱の横断面積は、支柱を繰り返し撓ませることによる疲労亀裂によってもさらに減小する。多数回撓ませた後、支柱の弱くした部分における横断面積は、小さな力を加えるのみで弱くした部分で支柱を破断するのに十分となるように、十分に小さくなる。
【００１５】
（発明の詳細な説明）
以下の詳細な説明は、図面を参照しながら読むべきである。図面において、異なる図面中の同様な要素には同一の番号が付けられる。図面は必ずしも正しい縮尺ではないが、選択的実施形態を描いたものであった、本発明の範囲を制限するわけではない。
【００１６】
選択した要素に対する構造、材料、大きさおよび製造プロセスの例が与えられる。他のすべての要素は、本発明の分野の当業者によく知られているものを使用する。当業者には、与えられた例の多くが、利用可能な適当な代替物を有することが認識されるだろう。
【００１７】
図１は血栓フィルター２０の斜視図である。血栓フィルター２０は本体部材２２と複数の長尺の支柱２４とを備えている。各支柱２４は連結端２６と自由端２８を有している。各支柱２４の連結端２６は、本体部材２２に固定的に取り付けられる。
【００１８】
支柱２４は、円形または長方形の横断面をしたワイヤから作成することが可能である。例えば、支柱２４は、直径約０．４５７ｍｍ（０．０１８インチ）で長さ約５．０８ｃｍ（２インチ）のワイヤで構成され得る。ステンレス鋼、チタン、およびニッケル−チタン合金はすべて、支柱２４の許容できる材料であることが分かっている。図１の実施形態では、各支柱２４の自由端２８と固定端２６の間に複数の曲がり部２５が配置される。支柱２４は直線であってもよく、また、本発明の範囲の精神から逸脱しない図１に例示したのとは異なる曲がり部を含んでいてもよい。
【００１９】
図１の実施形態では、本体部材２２は、形状が円筒形であり、ボア２３を有する。本体部材２２の他の実施形態も、本発明の精神または範囲から逸脱せずに、実現可能である。
【００２０】
支柱２４は、血栓フィルター２０が略円錐形の形状となるように、本体部材２２から外方向に放射状に広がる。血栓フィルター２０が血管内で展開配置されると、自由端２８は血管壁に係合する。本体部材２２は、対抗する複数の力のベクトルで血管壁に係合する複数の支柱２４によって、血管の中央付近の定位置に保持される。
【００２１】
血栓フィルター２０が血管内に配置されると、支柱２４の円錐形の構成は、血餅をトラップまたは捕獲するように作用する。支柱２４の略円錐形の構成は、捕獲された血餅を血流の中心へと押しやる役割を果たす。捕獲された血餅の周囲での血液の流れのために、身体の自然な溶解プロセスが、血餅を溶解することが許容される。
【００２２】
血管壁への血栓フィルター２０のしっかりとした取り付けを保証するために、支柱２４の自由端２８にはアンカー部分（固定部分）３０が形成され得る。図２は、血管壁３２に埋め込まれたアンカー部分３０の１実施形態を示す。アンカー部分３０は、鋭利な箇所３４と曲がり部３６を有している。支柱２４は自由端２８の付近に配置された、弱くした部分４０を有する。図２の特定の実施形態では、弱くした部分４０が複数の陥没部（ディベット）４２を含んでいる。陥没部４２は、弱くした部分４０で支柱２４の横断面積を実質的に減小する。陥没部４２は、機械加工や研削のような除去プロセスで支柱２４から材料を除去することにより作成され得る。陥没部４２は、金属成形やクリンピングのようなプロセスで材料を移動させることによっても作成され得る。
【００２３】
血管壁３２は、薄い内部の膜すなわち内膜４４によって裏打ちされる。アンカー部分３０が壁３２に埋込まれているとき、アンカー部分３０は内部の膜４４を穿刺する。身体は、新血管内膜の過形成として当該技術分野においてよく知られているプロセスで、内部の膜４４の穿刺に応答する。内部の膜４４の穿刺された領域には、多くの新たな細胞が増殖する。図２を再び参照すると、支柱２４のアンカー部分３０が、包み込む作用をする細胞増殖４６で覆われていることが理解される。
【００２４】
図３は、アンカー部分３０と弱くした部分４０の代替実施形態を備えた支柱２４の平面図である。アンカー部分３０は鋭利な箇所３４と曲がり部３６を有している。図３では、鋭利な箇所３４が血管壁３２を穿刺している。支柱２４の弱くした部分４０は、切り欠き５０を有している。切り欠き５０は、支柱２４の横断面積を弱くした部分４０の位置で実質的に減小する。切り欠き５０は、支柱２４の弱くした部分４０に加えられる応力を集中する役割をする、鋭利な箇所５２で終端し得る。切り欠き５０は、グラインディング（研削）、ミリング（フライス削り）およびブローチ削りを含むがこれらに限定されないいくつかの材料除去プロセスのうちの任意の１つによって生成することができる。代替的に、切り欠き５０は、材料変形プロセスを使用して作成してもよい。先の実施形態と同様に、図３において、支柱２４のアンカー部分３０は包み込む作用をする細胞増殖４６で覆われている。
【００２５】
図４は、弱くした部分４０のさらなる実施形態を示す支柱２４の平面図である。この実施形態では、弱くした部分４０は、支柱２４の横断面積を弱くした部分４０の位置で実質的に減小する孔６０を有している。孔６０は穿孔、レーザー穿孔、電子放電機械加工を含めたいくつかの材料抜去プロセスのうちの任意の１つを使用して生成することができる。図４では、孔６０は、完全に支柱２４を完全に通過する「貫通孔」として示される。孔６０の他の実施形態を、本発明の精神および範囲から逸脱することなく使用できることが理解される。例えば、孔１８はめくら孔であってもよいし、あるいは、弱くした部分４０が複数の孔を有していてもよい。
【００２６】
上述したように、身体は、新血管内膜の過形成と称されるプロセスで、血戦フィルター２０の存在に応答する。その結果、支柱２４のアンカー部分３０が、包み込む作用をする細胞増殖４６で覆われるようになる。血栓フィルター２０を移植した後の約２〜３週以内に、支柱２４のアンカー部分３０は包み込む作用をする細胞増殖４６によって完全に包み込まれる。多くの先行技術の血栓フィルターでは、新血管内膜の過形成による包み込みが起こった後で、フィルターを抜去することは不可能ではないにしても非常に困難である。
【００２７】
支柱２４のアンカー部分３０の新血管内膜の過形成による包み込みによる併発症がない、侵襲性が最小な方法を使用して、本発明の血栓フィルターを抜去できることが望ましい。血栓フィルター２０を血管９０から抜去するために仕様可能なプロセスが、図５に概略的に示される。
【００２８】
図５は、ルーメン９２と壁３２を有する血管９０を概略的に示す。血栓フィルター２０は血管９０のルーメン９２の中に配置される。支柱２４のアンカー部分３０は血管９０の壁３２に埋め込まれている。新血管内膜の過形成によって、支柱２４のアンカー部分３０の付近に、包み込む作用をする細胞増殖４６が生じる。
【００２９】
ルーメン１０２と先端部１０４を備えた抜去カテーテル１００も、血管９０のルーメン９２の中に配置される。抜去カテーテル１００は、医師にとって容易にアクセス可能な箇所で患者の血管系に進入する。抜去カテーテル１００は、一旦血管系に入ると、先端部１０４が血栓フィルター２０の付近に来るまで前方に押し進められる。例えば、血栓フィルター２０が患者の血管系の下大静脈に配置される場合、抜去カテーテル１００は大腿静脈で血管系に進入し得る。代わりに、血栓フィルター２０が患者の血管系の上大静脈に配置される場合、抜去カテーテル１００は頚静脈で血管系に進入し得る。いずれの場合も、フィルター抜去処置は侵襲性が最小であり、全身麻酔を必要としない。
【００３０】
血栓フィルター２０の本体部材２２が抜去カテーテル１００のルーメン１０２の中に配置されるように、抜去カテーテル１００の先端部１０４が前方に押し進められる。抜去カテーテル１００のルーメン１０２の中に本体部材２２をさらに押し進める力Ｆが、血栓フィルター２０に加えられる。この力Ｆの大きさは、弱くした部分４０で支柱２４を破断するのに十分な大きさである。支柱２４が弱くした部分４０で破断すると、支柱２４を備えた血栓フィルター２０を、抜去カテーテル１００のルーメン１０２内に引き込むことができる。その後、抜去カテーテル１００は、血管９０から抜去カテーテル１００を引き戻すことにより、患者の身体から抜去することができる。このようにして、血栓フィルター２０は血管１００から抜去されるが、固定部材３０は包み込む作用をする細胞増殖４６により、壁３２に取り付けられたままとなる。
【００３１】
図６は回収カテーテル１１０のルーメン１１２へ引き込まれた後の、血栓フィルター２０の略図である。図６に見られるように、回収カテーテル１１０のルーメン１１２へ血栓フィルター２０を引き込むと、支柱２４は折り畳まれる。支柱２４が折り畳まれると、回収カテーテル１１０を血管１００から引き戻すことが可能である。さらに図６に見られるように、固定部材３０は包み込む作用をする細胞増殖４６により保持されて、血管１００の壁に固定され続ける。
【００３２】
力Ｆは様々な方法を使用して血栓フィルター２０に加えることができる。例えば、回収カテーテル１１０のルーメン１１２への血栓フィルター２０の引き込みは、フックを備えた回収ワイヤによって遂行され得る。回収ワイヤは本体部材２２のボア２３の中を通過し得る。本体部材２２のボア２３の中に回収ワイヤを配置したまま、フックを本体部分２２に係合し、血栓フィルター２０に引く力を加え得る。
【００３３】
支柱２４は、弱くした部分４０で疲労亀裂を起こすよう繰り返し支柱２４を撓ませることにより、弱くした部分４０で故意に破断してもよい。この抜去方法に必要な力の大きさは、疲労亀裂がない支柱２４を破断するのに必要な力の大きさよりも小さい。
【００３４】
支柱２４を撓ませるために多くの方法を使用することができる。最初に、図５に示したような引く力が血栓フィルター１０に加えられる。血栓フィルター２０に引く力を加えることで、血管壁３２と支柱２４が撓む。引く力を解放すると、血管壁３２と支柱２４はストレスがかかっていない位置に戻る際に次の時点で撓む。引く力Ｆを、弱くした領域４０で疲労亀裂を起こすために繰り返し加えると共に解放してもよい。この抜去方法を使用するときに加えられる引く力は、最初は支柱２４を破断するには十分ではないことに留意すべきである。しかしながら、力Ｆを多数回加えると、疲労亀裂が弱くした領域４０で発達する。上述したように、支柱２４の横断面積は、スロット、孔、ならびにその他の同等物によって、弱くした領域４０で減小する。支柱２４の横断面積は、力Ｆを繰り返し加えることによる疲労亀裂によってさらに減小する。力Ｆを多数回加えた後、弱くした領域４０における支柱２４の横断面積は、力Ｆのみで弱くした領域４０で支柱２４を破断するのに十分となるように、十分に小さくなる。
【００３５】
疲労亀裂も、血栓フィルター２０の本体部材２２に押す力と引く力を交互に加えることによっても、支柱２４で生じ得る。図７は、押す力Ｇと引く力Ｈを仕様した抜去方法の略図である。押す力Ｇと引く力Ｈは、抜去カテーテル１００の中に配置された長尺の力伝達部材（図示しない）を使用して、血栓フィルター２０の本体部材２２に伝達され得る。力伝達部材は好ましくは長手方向において実質的に剛性である。
【００３６】
押す力を血栓フィルター２０に加えることで、支柱２４は第１のストレス負荷位置７０へと撓む。血栓フィルター２０を引っ張ると、支柱２４は第２のストレス負荷位置７２へと撓む。図７では、第１のストレス負荷位置７０と第２のストレス負荷位置７２が、陰線によって表される。押す力Ｇと引く力Ｈを交互に加えると、支柱２４の弱くした領域４０で疲労亀裂が発達する。上述したように、力Ｇ，Ｈのみで支柱２４を弱くした箇所４０で破断するのに十分となるまで、疲労亀裂は発達し続ける。その後、血栓フィルター２０が抜去カテーテル１００のルーメン１０２へ引き込まれ、血管９０のルーメン９２から抜去され得る。
【００３７】
図７の実施形態では、押す力Ｇと引く力Ｈは、力伝達部材によって血栓フィルター２０に加えられる。これを遂行するために、機械的リンクが、力伝達部材と血栓フィルター２０の本体部分２２との間に形成される。この機械的リンクは、多くの方法を使用して形成され得る。例えば、力伝達部材１１０の先端部は、血栓フィルター２０の本体部分２２に固定可能に取り付けられた咬合するフックと連結する、フックを備え得る。
【００３８】
支柱２４は、抜去カテーテル１００に押す力を同時に加えながら、血栓フィルター２０に引く力を加えることによっても撓ませることができる。この血栓フィルター２０の抜去方法は、図８に概略的に示される。図８に示されるように、血栓フィルター２０上で抜去カテーテル１００を押すと、支柱２４は撓む。血栓フィルター２０上でカテーテル１００を押すと、支柱２４はストレス負荷された位置へと撓む。カテーテル１００を引き戻すと、支柱２４はストレス負荷のない位置へと自由に戻ることができる。サイクルを繰り返すと疲労亀裂が発達し、遂には支柱２４が弱くした部分４０で破断する。
【００３９】
当業者には、本発明の精神または範囲から逸脱することなく、血栓フィルター２０の多くの実施形態が可能であることが理解される。図９は、本発明による血栓フィルター２０のさらなる実施形態を示す平面図である。血栓フィルター２０は略円筒形のアンカー部分２２８と、頂点２３２で終端する略円錐形のろ過部分２３０を備えている。
【００４０】
ろ過部分２３０は、複数のろ過用の小室２４４を形成するよう格子パターンに配置された複数の長尺の糸構造（ストランド）２４０を有する。ろ過用の小室２４４は、血液がほとんど抵抗なくろ過部分２３０を通って流れることを可能にする。小室２４４は、血管の中を移動する血餅をろ過部分２３０がトラップまたは捕獲することも可能にする。ろ過部分２３０の略円錐形の形状により、捕獲された血餅は血流の中心へ押しやられる。捕獲された血餅の周囲での血液の流れのために、身体の自然な溶解プロセスが、血餅を溶解することが許容される。
【００４１】
図９を再び参照すると、ストランド２４０が、ろ過部分２３０を超えて、アンカー部分２２８まで延びることが認識され得る。アンカー部分２２８の各ストランド２４０は、アンカー（固定部）３０を有し得る。現時点で好ましい実施形態では、アンカー部材３０は、血管壁を穿通可能な鋭利な箇所を有している。この様式では、アンカー部材３０が、血栓フィルター２０が血管内腔内で上流または下流に移動する可能性を減らす。弱くした部分４０は各アンカー３０の付近に配置される。
【００４２】
本文書によって包含される本発明の多くの利点を、上記の説明で述べてきた。しかしながら、本開示は、多くの点で単に例にすぎない。本発明の範囲から逸脱することなく、詳細に関して、特に部分の形、大きさおよび配置に関して、変更を行い得る。本発明の範囲は特許請求の範囲を表現した文言によって定義されるものとする。
【図面の簡単な説明】
【図１】血栓フィルターの斜視図。
【図２】血栓フィルターのアンカー部分の平面図。
【図３】血栓フィルターのアンカー部分の代替実施形態の平面図。
【図４】血栓フィルターのアンカー部分の代替実施形態の平面図。
【図５】血栓フィルターに関して使用する抜去プロセスの略図。
【図６】抜去カテーテルのルーメンに引き込まれた血栓フィルターの略図。
【図７】血栓フィルターに関して使用する代替抜去プロセスの略図。
【図８】血栓フィルターに関して使用する代替交替抜去プロセスの略図。
【図９】本発明による血栓フィルターのさらなる実施形態の平面図。
【図１】
0004299484.tif 000002
【図２】
0004299484.tif 000003
【図３】
0004299484.tif 000004
【図４】
0004299484.tif 000005
【図５】
0004299484.tif 000006
【図６】
0004299484.tif 000007
【図７】
0004299484.tif 000008
【図８】
0004299484.tif 000009
【図９】
0004299484.tif 000010